(57)【要約】【課題】平板表示装置の基板の歪みを防止する補強構造物を提供する。【解決手段】透明なガラスかプラスチックを素材として中空六角形柱が連続に形成されて、他の例は透明なガラスかプラスチックを素材として中空六角形柱が連続に形成されたものの一端に伝導性フィルムを被覆し、伝導性フィルムを接地させて、平板表示装置の内部から発生する電磁波が遮断されるようにし、他の例は伝導性金属を素材として中空六角形柱が連続に形成されたものの一端を接地させて、平板表示装置の内部から発生される電磁波が遮断されるようにする。平板表示装置を大型に製作する場合にも基板自体の厚さを厚くせずに、上下基板の上下面に補強構造物を各々付着するだけで補強ができる。大型平板表示装置の場合、薄い基板を使用するので、基板の製造コストダウンに寄与する。更に、補強構造物に接地部が付着されるので、内部から発生する電磁波が遮断できる。【選択図】図２
2007058243.tif 000002
【特許請求の範囲】
【請求項１】
基板が具備された平板表示装置において、
前記基板の少なくとも一方の面に前記基板の歪みを防止する補強構造物が設置され、
前記補強構造物は透明なガラスかプラスチックを素材として中空多角形柱が連続に形成されることを特徴とする平板表示装置。
【請求項２】
前記補強構造物の中空多角形柱の一端に伝導性フィルムを被覆し、前記伝導性フィルムを接地させて、前記平板表示装置の内部から発生する電磁波を遮断することを特徴とする請求項１に記載の平板表示装置。
【請求項３】
基板が具備された平板表示装置において、
前記基板の少なくとも一方の面に前記基板の歪みを防止する補強構造物が設置され、
前記補強構造物は伝導性金属を素材として中空多角形柱が連続に形成されたものの一端を接地させて、前記平板表示装置の内部から発生する電磁波を遮断することを特徴とする平板表示装置。
【請求項４】
前記中空多角形柱は中空六角形柱であることを特徴とする請求項１乃至３の中いずれか一つに記載の平板表示装置。
【請求項５】
前記補強構造物は、前記補強構造物の内部に塵等の汚染物が積もったり、補強構造物が破損されたりすることを防止するために、前記基板に接触される部分の反対側の端部に透明な保護部材が付着されることを特徴とする請求項１乃至３の中いずれか一つに記載の平板表示装置。
【発明の詳細な説明】
【技術分野】
【０００１】
本発明は平板表示装置に係り、特に平板表示装置を大型に造る場合に、平板表示装置に具備する基板の厚さを厚くせずに前記基板の変形を防止するようにその構造が改善された平板表示装置に関する。
【背景技術】
【０００２】
一般的に、平板表示装置は平板型の画像表示装置であって、液晶表示装置、プラズマ表示装置、電子発光装置等がある。前記平板表示装置は消費電力が他のデバイスに比して非常に小さくて超小型から大型まで各種大きさの生産が可能であり、表示パタ−ンが多様化できるという利点がある。従って、前記平板表示装置は表示装置分野で非常に重要な位置を占めている。
【０００３】
従来の平板表示装置は上、下基板より成り、その基板は光を通過させるためにガラスかプラスチック等の透明な材質で作られて、通過される光が平行に進行されるように平板型に造られる。
【０００４】
これのように形成された従来の平板表示装置は、前記平板表示装置を大型（例えば、一方向１００ｃｍ（４０インチ）以上）に造るために基板の面積を広めなければならない。前記基板面積が広まれば広まるほど、前記基板を平らな状態に保つため基板の厚さを厚くしなければならない。厚い基板は重くなって前記平板表示装置の製作工程が難しくなり、表示光の透過率も減少し、また、コスト高を招く。
【発明の開示】
【発明が解決しようとする課題】
【０００５】
本発明の目的は基板が具備された平板表示装置において、前記基板の外面に前記基板の歪みを防止するための補強構造物を提供することにある。
【課題を解決するための手段】
【０００６】
前記目的を達成するために、本発明の補強構造物の一実施例は、透明なガラスかプラスチックを素材として中空六角形柱が連続に形成される。
【０００７】
前記補強構造物の他の実施例は、透明なガラスかプラスチックを素材として中空六角形柱が連続に形成されたものの一端に伝導性フィルムを被覆し、前記伝導性フィルムを接地させて、前記平板表示装置の内部から発生する電磁波が遮断されるようにする。
【０００８】
前記補強構造物の又他の実施例は、伝導性金属を素材として中空六角形柱が連続に形成されたものの一端を接地させて、前記平板表示装置の内部から発生する電磁波が遮断されるようにする。
【０００９】
前記各実施例の補強構造物には、内部に塵等の汚染物が積もったり、補強構造物が破損されたりすることを防止するために、前記基板に接触される反対側の端部に透明な保護部材が付着される。
【発明の効果】
【００１０】
以上のように、本発明によると平板表示装置を大型に製作する場合にも基板自体の厚さを厚くせずに、上下基板の少なくとも一方の面、必要な場合には上下面に、補強構造物を付着するだけで補強が可能になる。且つ、大型平板表示装置の場合、従来のように基板厚さを厚くする必要がなく薄い基板を使用するので、光はその薄い基板を通過するので大型の平板表示装置を製作しても光透過率が減少せず、又基板の厚さを厚くしないで済むから基板のコストダウンが可能である。更に、本発明によると、前記補強構造物に接地部が付着されるので、前記平板表示装置は内部から発生する電磁波が遮断できる。
【００１１】
補強構造物を形成する中空多角形柱の素材として、透明なガラスやプラスチックを用いると、表示装置の視界を妨げとならないので好ましい。
【００１２】
補強構造物を形成する中空多角形柱として、中空六角形柱を用いれば、中空六角形柱を密に隣接して配置でき、多角形柱の中空部分が多い割に強い強度が得られる。
【発明を実施するための最良の形態】
【００１３】
以下、添付された図面を参照して本発明の実施例をさらに詳細に説明する。
【００１４】
図１は本発明による平板表示装置を示す概略断面構成図であって、図に示したように、平板表示装置は上下に基板２０、２０が形成されている。前記基板２０の一面には補強構造物２３が設置される。且つ、補強構造物２３内部に塵等の汚染物が積もったり、補強構造物２３が破損されたりすることを防止するために、前記補強構造物２３には保護部材２７が設置される。前記保護部材２７は軽く、堅くて透明な材質、望ましくはプラスチック、ガラス等で作られる。
【００１５】
図２は本発明の第１実施例による平板表示装置の基板を示す斜視図である。
【００１６】
図２を参照すれば、本発明による基板２０が具備された平板表示装置において、前記基板２０を補強する第１補強構造物２３が前記基板２０の一面（一方の外面、または、両方の基板２０、２０の外面）に設置される。前記第１補強構造物２３は透明なガラスかプラスチックを素材として作られており、その構造は中空六角形柱が連続に形成される構造に成る。上、下基板２０内の前記第１補強構造物２３の一つの六角形柱の断面積は、上、下基板２０内の少なくとも１０個以上の画素を占有する面積に該当されるようにするのが望ましい。前記第１補強構造物２３は、前記第１補強構造物２３内部に塵等の汚染物が積もったり、第１補強構造物２３が破損されたりすることを防止するために、前記基板２０と接触される部分の反対側の端部に軽く、堅くて透明な材質、即ちプラスチック、ガラス等
で作った保護部材２７が付着される。
【００１７】
図３は本発明の第２実施例による平板表示装置の基板を示した斜視図である。
【００１８】
図３を参照すれば、上下面に基板２０が具備された平板表示装置（図１参照）において、前記基板２０の一面（一方の外面、または、両方の基板２０、２０の外面）に前記基板２０の歪みを防止する第１補強構造物２３が設置される。
【００１９】
前記第１補強構造物２３は透明なガラスかプラスチックを素材として中空六角形柱が連続に形成されるものの一端に電気を伝えやすい伝導性フィルム２５を塗布等により被覆し、この伝導性フィルム２５を接地部２６を通じて接地させて、前記平板表示装置の内部から発生する電磁波を遮断し、電磁障害（ＥＭＩ）を防止する。前記第１補強構造物２３は、前記第１補強構造物２３内部に塵等の汚染物が積もったり、第１補強構造物２３が破損されたりすることを防止するために、前記基板２０と接触される部分の反対側の端部に軽く、堅くて透明な材質、即ちプラスチック、ガラス等で作った保護部材２７が付着される。
【００２０】
図４は本発明の第３実施例による平板表示装置の基板を示した斜視図である。
【００２１】
図４を参照すれば、上下面に基板２０が具備された平板表示装置（図１参照）において、前記基板２０の歪みを防止する第２補強構造物２４が基板２０の一面（一方の外面、または、両方の基板２０、２０の外面）に設置される。
【００２２】
前記第２補強構造物２４は電気を伝えやすい伝導性金属を素材として中空六角形柱が連続に形成されたものの一端に接地部２６を接地させて、前記平板表示装置の内部から発生する電磁波を遮断する。前記第２補強構造物２４は、前記第２補強構造物２４の内部に塵等の汚染物が積もったり、第２補強構造物２４が破損されたりすることを防止するために、前記基板２０と接触される部の反対側の端部に軽く、堅くて透明な材質、即ちプラスチック等で作った保護部材２７が付着される。
【図面の簡単な説明】
【００２３】
【図１】本発明による平板表示装置を概略的に示した断面図である。
【図２】本発明の第１実施例による平板表示装置の基板を示した斜視図である。
【図３】本発明の第２実施例による平板表示装置の基板を示した斜視図である。
【図４】本発明の第３実施例による平板表示装置の基板を示した斜視図である。
【符号の説明】
【００２４】
２０  上下基板
２３  第１補強構造物
２４  第２補強構造物
２５  伝導性フィルム
２６  接地部
２７  保護部材
【図１】
2007058243.tif 000003
【図２】
2007058243.tif 000004
【図３】
2007058243.tif 000005
【図４】
2007058243.tif 000006